(57)【要約】【課題】勾配付き軒天井の場合にも簡単確実に乾式目地工法を実施することができ、湿式目地工法の問題点を解消することのできる外壁を提供する。【解決手段】外壁材４の上端部と軒天井４５との隙間７にパッキン８を嵌挿した外壁で、パッキン８は、隙間７に屋外側から挿入されて外壁材４の上端部に支持される本体部８ａと、本体部８ａの屋外側端部に下向きに突設されて外壁材４の上端外面に係止される係止部８ｂと、本体部８ａの上面部に挿入方向に間隔を開けて上向きに突設され、隙間７へのパッキン８の挿入に伴い屋外側に弾性変形して各先端側が軒天井４５の下面に押圧接触する少なくとも２枚の屋外側及び屋内側の気密片部８ｅ，８ｆとを有する。軒天井４５の下面に対する屋外側気密片部８ｅの接点Ｂと屋内側気密片部８ｆの接点Ｃとが、外壁材４の上端外面角部Ａから軒天井４５に引いた垂線Ｌｓを挟んで屋外側と屋内側にそれぞれ位置する。【選択図】          図１
2004332316.tif 000002
【特許請求の範囲】
【請求項１】
建物の躯体の壁部に通気層を介して外壁材を取付け、該外壁材の上端部と軒天井との隙間にパッキンを嵌挿した外壁であって、前記パッキンは、前記隙間に屋外側から挿入されて外壁材の上端部に支持される本体部と、該本体部の屋外側端部に下向きに突設されて外壁材の上端外面に係止される係止部と、前記本体部の上面部に挿入方向に間隔を開けて上向きに突設され、前記隙間へのパッキンの挿入に伴い屋外側に弾性変形して各先端側が前記軒天井の下面に押圧接触する少なくとも２枚の屋外側及び屋内側の気密片部とを有し、前記軒天井の下面に対する屋外側気密片部の接点と屋内側気密片部の接点とが、前記外壁材の上端外面角部から軒天井に引いた垂線を挟んで屋外側と屋内側にそれぞれ位置していることを特徴とする外壁。
【発明の詳細な説明】
【０００１】
【発明の属する技術分野】
本発明は、建物の外壁に係り、特に外壁材の上端部と軒天井との隙間に嵌挿されるパッキンの構造を改良した外壁に関する。
【０００２】
【従来の技術】
近年の外壁においては、建物の躯体の壁部に通気層を介して外壁材を取付ける通気工法が主流になって来ている。このように通気層を介して外壁材を取付ける場合、一般的には、外壁材の上端部と軒天井との間の隙間（目地部）に、後から防水用のシールを施している。
【０００３】
このシールの施工法として、前記隙間に流動性を持つシーリング材を充填する湿式目地工法（シーリング目地工法ともいう）がある。この湿式目地工法は、図６に示すように、外壁材４の上端部４ｃと軒天井４５との間の隙間７の奥部に予めバックアップ材１０１を配置した上で、その手前側の空所にシーリング材１０２を屋外側から充填して固化させる工法である。
【０００４】
また、別のシール施工法として、前記隙間に弾性を有するパッキン（ガスケット）を挿入する乾式目地工法（ガスケット工法）がある。
【０００５】
【発明が解決しようとする課題】
ところで、前述した湿式目地工法は、シーリング材の経年劣化により、接着面の剥離や材料破断を生じて気密・水密性が低下する上、ゴミの付着により表面の汚れが目立つようになるという問題がある。また、シーリング材の施工には熟練を要すると共に、コストがかかるという問題もある。
【０００６】
一方、パッキンを目地部に挿入する乾式目地工法は、前記湿式目地工法の問題点をほとんど解消できるものの、軒天井に勾配が付いている場合は、外壁材と軒天井の隙間が、外壁材の屋外側で狭く屋内側に行くほど広くなっているため、挿入したガスケットが内部側に潜り込んでしまうおそれがある。そのため、勾配付きの軒天井の場合には適用が難しいという問題があり、勾配付きの軒天井の場合は湿式目地工法に頼っているのが現状である。
【０００７】
本発明は、前記事情を考慮してなされたもので、勾配付き軒天井の場合にも簡単確実に乾式目地工法を実施することができ、湿式目地工法の問題点を解消することのできる外壁を提供することを目的とする。すなわち、本発明の目的は、気密・水密性の高いパッキンを軒天井と外壁材の隙間に簡単に且つ確実に取付けることができ、施工性の向上が図れる外壁を提供することにある。
【０００８】
【課題を解決するための手段】
本発明は、建物の躯体の壁部に通気層を介して外壁材を取付け、該外壁材の上端部と軒天井との隙間にパッキンを嵌挿した外壁であって、前記パッキンは、前記隙間に屋外側から挿入されて外壁材の上端部に支持される本体部と、該本体部の屋外側端部に下向きに突設されて外壁材の上端外面に係止される係止部と、前記本体部の上面部に挿入方向に間隔を開けて上向きに突設され、前記隙間へのパッキンの挿入に伴い屋外側に弾性変形して各先端側が前記軒天井の下面に押圧接触する少なくとも２枚の屋外側及び屋内側の気密片部とを有し、前記軒天井の下面に対する屋外側気密片部の接点と屋内側気密片部の接点とが、前記外壁材の上端外面角部から軒天井に引いた垂線を挟んで屋外側と屋内側にそれぞれ位置していることを特徴とする。
【０００９】
【発明の実施の形態】
以下に、本発明の実施の形態を添付図面に基いて詳述する。
【００１０】
図１は実施の形態の主要部構成を示し、図２は全体構成を示す。図１及び図２において、１は外壁で、この外壁１は建物の躯体２の壁部３に取付けられる外壁材４を備えている。４５は勾配付きの軒天井であり、この軒天井４５と外壁材４の上端部４ｃとの間には、屋外側から屋内側に行くほど間隔が広がる隙間（目地部）７が設けられ、この隙間７に、乾式目地工法としてパッキン（ガスケット）８が屋外側（室外側）から挿入されている。
【００１１】
前記外壁材４は、例えばタイルやレンガのような窯業系の外装材（サイディング）からなり、所定寸法（例えば縦横が４５０ｍｍ×２７００ｍｍ）のパネル状に形成されている。外壁材４の取付方法としては、縦長状態で取付ける縦張りや横長状態で取付ける横張りがあるが、何れであってもよい。また。外壁材４としては、金属系のパネルであってもよい。
【００１２】
前記外壁材４の上端部には、図２に示すように、厚さ方向略中間から外表面までの厚さの凹部１５と、厚さ方向略中間から裏面までの厚さの凸部１６とが形成され、外壁材４の下端部には、厚さ方向略中間から外表面までの厚さの凸部１７と、厚さ方向略中間から裏面までの厚さの凹部１８とが形成され、これら凹部１５，１８と凸部１６，１７を互いに係合させた状態で、外壁材４が躯体２の壁部３に張設されるようになっている。また、図示例では、下部の外壁材４の下端部が第１の取付金具（取付部材）２０を介して、この下部の外壁材４と上部の外壁材４の接合部（係合部）が第２の取付金具（取付部材）２１を介して、躯体２の壁部３と外壁材４との間に所定隙間の通気層２３が形成されるようにして、躯体２の壁部３に取付けられている。
【００１３】
前記第１の取付金具２０及び第２の取付金具２１は、躯体２に固着具例えば釘２４で固定されている。なお、前記上部の外壁材４の上端部には凹部１５及び凸部１６が形成されておらず、この上部の外壁材４の上端部は、躯体２の壁部３に通気胴縁２５を介して釘２４で固定されている。また、前記躯体２の壁部３には透湿防水紙２６が張設されている。
【００１４】
前記パッキン８は、弾性変形可能なゴム質ないし軟質樹脂、例えばサーモ・プラスチック・エラストマー（ＴＰＥ）系の材料からなり、押出成形により、図１の紙面に垂直方向に連続した長尺に形成されている。このパッキン８は、図１にその横断面を示すように、前記隙間７に屋外側から挿入されて外壁材４の上端部４ｃに下面が接するように支持される帯板状の本体部８ａを有し、その本体部８ａの挿入方向（幅方向）の後端部（屋外側の端部）に、下向きに突設された係止部８ｂを有している。この係止部８ｂは、外壁材４の上端外面４ａに係止されることで、屋内側へのパッキン８の過度挿入を規制する機能を果たす。
【００１５】
また、本体部８ａの挿入方向の先端部（屋内側の端部）には、パッキン８の抜け止めを果たす引掛け部８ｃが下向きに突設されている。この引掛け部８ｃは、挿入方向の前端に斜面８ｄを有するフック状のもので、前記隙間７への屋外側からのパッキン８の挿入の際に、その斜面８ｄが外壁材４に当たることで、上方に弾性的に屈曲し、パッキン８の挿入完了に伴って弾性復元することにより、外壁材４の上端内面４ｂに引っ掛り、屋外側へのパッキン８の抜け止め機能を果たす。引掛け部８ｃ及び係止部８ｂは、本体部８ａの長手方向に連続して形成されている。
【００１６】
このパッキン８は、前記隙間７への挿入方向の前後両端に設けた引掛け部８ｃと係止部８ｂにより、外壁材４の上端部を厚さ方向に挟み込むことにより、自らが外壁材４の上端部に保持固定される。また、本体部８ａの下面が外壁材４の上端部（上端小口）４ｃに面接触した状態で、挿入方向前後の引掛け部８ｃと係止部８ｂが外壁材４の上端の屋内側及び屋外側の角部を覆う上、特に、係止部８ｂの内面が外壁材４の上端外面４ａに密着するようになっていることから、外壁材４の両角部を保護することができるし、外壁材４とパッキン８の間の気密性及び水密性を保持することができる。
【００１７】
また、このパッキン８の本体部８ａの上面には、本体部８ａの挿入方向に間隔を開けてそれぞれ上向きに少なくとも２枚の屋外側及び屋内側の気密片部８ｅ、８ｆがヒレ状に突設されている。これらの気密片部８ｅ、８ｆは、軒天井４５との隙間７への屋外側からのパッキン８の挿入に伴って屋外側に弾性的に倒れ変形することにより、各先端側の側面が軒天井４５の下面に押圧接触して、それにより両者間に空気層９を画成するものであり、本体部８ａの長手方向に連続して形成されている。これら気密片部８ｅ、８ｆの突出長さは、軒天井４５との隙間７を確実に余裕を持って塞ぐことができるような寸法に設定されている。
【００１８】
２枚の気密片部８ｅ、８ｆ間に画成される空気層９は減圧用の空間であり、この空気層９が確保されることにより、外壁材４よりも屋外側の風圧をＰａ、外壁材４よりも屋内側の気圧をＰｃ、前記空気層９の気圧をＰｂとすると、風圧がＰａ＞Ｐｂ＞Ｐｃのように段階的に変化するようになるため、各気密片部８ｅ、８ｆを境とする気圧差が小さくなり、気圧差で雨水が屋内側に侵入するのを抑制することができる。
【００１９】
また、外壁材４５の上端外面４ａの角部Ａから勾配付き軒天井４５に直角に垂線をＬｓを引いた場合、屋外側気密片部８ｅの軒天井４５に対する接点Ｂが、前記垂線Ｌｓより寸法ａだけ屋外側に位置し、屋内側気密片部８ｆの軒天井４５に対する接点Ｃが、前記垂線Ｌｓより寸法ｂだけ屋内側に位置し、しかも、接点Ｃが外壁材４の上端外面の延長線Ｌｔよりも寸法ｃだけ屋内側に位置するように、気密片部８ｅ、８ｆの形状や位置、弾性度が決められている。つまり点Ａ、Ｂ、Ｃを頂点とする三角形ＡＢＣを考えた場合、角Ｂ、角Ｃがそれぞれ鋭角となるように接点Ｂ、Ｃの位置が定められている。
【００２０】
従って、屋外側の気密片部８ｅの接点Ｂが軒天井４５に押圧する力による点Ａ回りのモーメント（図中反時計回りのモーメント）は、係止部８ｂの内面を外壁材４の上端外面４ａに強く押し付ける力として作用し、また、屋内側の気密片部８ｆの接点Ｃが軒天井４５に押圧する力による点Ａ回りのモーメント（図中時計回りのモーメント）は、本体部８ａの下面を外壁材４の上端部４ｃに強く押し付ける力として作用し、結果的に、外壁材４に対するパッキン８の密着力が増強して、気密・水密性が向上すると共に、パッキン８がバランス良く安定的に保持されることになる。また、勾配付きの軒天井４５に各気密片部８ｅ、８ｆが押圧することによって、外壁材４の上端部４ｃ上に配置されたパッキン８には屋内側へ向かう分力が作用する。従って、その分力と、係止部８ａによる係止力との釣り合いにより、パッキン８の位置ずれ防止及び抜け止めがなされる。
【００２１】
このパッキン８を外壁材４の上端に取付ける場合は、図３の（ａ）に示すように、外壁材４の外側で軒天井４５の下側に、２つの気密片部８ｅ、８ｆを上に向け且つ引掛け部８ｃを外壁材４側に向けた姿勢でパッキン８を準備し、次いで（ｂ）に示すように、軒天井４５の下面に２つの気密片部８ｅ、８ｆを湾曲させて押し当てながら、引掛け部８ｃの前端を、外壁材４の上端と軒天井４５の隙間７に斜めの姿勢で挿入する。その際、突条部８ｃの前端の斜面８ｄの案内作用によって、突条部８ｃに誘導されながら、パッキン８が楽に隙間７に入って行く。
【００２２】
次いで、更にパッキン８を挿入すると、屋内側の気密片部８ｆの軒天井４５に対する接点Ｃが、前述した点Ａを通る垂線Ｌｓを越えて屋内側に入っていくに従い（二点鎖線で示す位置まで入ると）、軒天井４５に押圧する気密片部８ｆの弾性反力により、パッキン８に図中時計回りのモーメントが作用するようになり、そのモーメントによってパッキン８の本体部８ａが外壁材４５の上端部４ｃに押し付けられる。その際、引掛け部８ｃは、上向きに屈曲した姿勢で外壁材４の上端部４ｃを滑り移動し、引掛け部８ｃの先端フック部が外壁材４の上端内面４ｂの位置を越えた時点で、引掛け部８ｃが弾性復元して外壁材４の上端内面４ｂに引っ掛り、これによりパッキン８が抜け止めされる。また、挿入するに従い、適正位置で係止部８ｅが外壁材４の上端外面４ａに係止されので、隙間７の奥に過度にパッキン８が潜り込むことがなくなる。
【００２３】
以上の構成からなる外壁１によれば、建物の躯体２の壁部３に通気層２３を介して外壁材４を取付け、その外壁材４の上端に、軒天井４５との間の隙間７をシールするパッキン８を挿入し、前記パッキン８は、外壁材４の上端部４ｃに当接する帯板状の本体部８ａと、外壁材４の上端外面４ａに係合して屋内側へのパッキン８の過度挿入を規制する係止部８ｂと、外壁材４の上端内面４ｂに係合して屋外側へのパッキン８の抜けを防止する引掛け部８ｃと、軒天井４５に弾性的に押圧することで両者間に空気層９を画成する２枚の気密片部８ｅ、８ｆとを有するため、適正な位置に楽にパッキン８を挿入セットすることができる。
【００２４】
即ち、勾配付きの軒天井４５である場合、外壁材４の上端部４ｃと軒天井４５の隙間（目地部）７は、外壁材４の外部側が狭く内部側に行くほど広くなるため、前記隙間７に挿入したパッキン８は屋内側に潜り込みやすくなるが、適当な位置までパッキン８を挿入したところで、屋外側の係止部８ｂが外壁材４の上端外面４ａに引っ掛かって係止されるので、それ以上の挿入ができなくなり、パッキン８の過度挿入が確実に防止される。また、勾配付き軒天井４５に気密片部８ｅ、８ｆが押圧した際には、その反力によってパッキン８に屋内側へ向かう分力が作用することになるので、その分力と屋外側の係止部８ｂによる係止力の釣り合いにより、パッキン８は位置ずれすることなく定位置に安定保持される。
【００２５】
特に、屋外側の気密片部８ｅの軒天井４５に対する接点Ｂと、屋内側の気密片部８ｆの軒天井４５に対する接点Ｃとが、外壁材４の上端外面角部Ａから軒天井４５に引いた垂線Ｌｓを挟んで屋外側と屋内側にそれぞれ位置するため、一旦パッキン８を挿入すると、パッキン８をバランス良く定位置に安定的に保持することができる。
【００２６】
また、２枚の気密片部８ｅ、８ｆの先端側側面が軒天井４５の下面に密着することで、目地部の気密・水密性が保持される上、気密片部８ｅ、８ｆ間に空気層９が確保されているので、屋外側の風圧を屋内側に向けて徐々に減圧することができ、気密・水密性を一層高めることができる。
【００２７】
また、パッキン８の屋内側には抜け止め用の引掛け部８ｃを設けているので、気圧差等の関係で屋外側へ抜け力が作用した場合にも簡単に抜ける心配がない。また、その引掛け部８ｃの前端には斜面８ｄを設けている上、その引掛け部８ｃ自体が弾力性を有しているので、挿入時の抵抗を小さくすることができ、パッキン８を楽に隙間７に挿入することができる。また、従来の湿式目地工法によらないので、その問題点を全て解消することができ、施工性の向上及びコストの低減が図れる。
【００２８】
以上、本発明の実施の形態を図面により詳述してきたが、本発明は前記実施の形態に限定されるものではなく、本発明の要旨を逸脱しない範囲での種々の設計変更等が可能である。例えば、気密片部８ｅ、８ｆの枚数は３枚以上の複数枚であってもよく、３枚以上にした場合は、隣接する気密片部の間に確保された空気層が多段になることで、より気密・水密性能を高めることができる。
【００２９】
また、前記実施の形態では、軒天井４５が勾配付きの場合に適用したが、図４に示すように、水平な軒天井４５の場合にも本発明は適用することができる。その場合、外壁材４５の屋外側角部Ａから勾配軒天井４５に垂線Ｌｓを引くと、前記実施の形態と同様に、屋外側の気密片部８ｅの軒天井４５に対する接点Ｂが、垂線Ｌｓより寸法ａだけ屋外側に位置し、屋内側の気密片部８ｆの軒天井４５に対する接点Ｃが、垂線Ｌｓより寸法ｂだけ屋内側に位置する。また、接点Ｃが外壁材４の上端外面の延長線Ｌｔ（軒天井４５が水平の場合はＬｔ＝Ｌｓとなる）よりも寸法ｃ（軒天井４５が水平の場合はｃ＝ｂとなる）だけ屋内側に位置する。
【００３０】
従って、前記実施の形態と同様に、欠く接点の位置関係より、外壁材４に対するパッキン８の密着力が増強して、気密・水密性が向上すると共に、パッキン８がバランス良く保持されることになる。
【００３１】
また、前記実施の形態では、外壁材４を取付金具２０、２１を介して建物の躯体２の壁部３に取付ける場合を示したが、図５に示すように、建物の躯体２の壁部３に縦胴縁３０があり、その縦胴縁３０に釘等の固定具で外壁材４を固定する場合にも適用することができる。
【００３２】
【発明の効果】
以上要するに本発明によれば、建物の躯体の壁部に通気層を介して外壁材を取付け、該外壁材の上端部と軒天井との隙間にパッキンを嵌挿した外壁であって、前記パッキンは、前記隙間に屋外側から挿入されて外壁材の上端部に支持される本体部と、該本体部の屋外側端部に下向きに突設されて外壁材の上端外面に係止される係止部と、前記本体部の上面部に挿入方向に間隔を開けて上向きに突設され、前記隙間へのパッキンの挿入に伴い屋外側に弾性変形して各先端側が前記軒天井の下面に押圧接触する少なくとも２枚の屋外側及び屋内側の気密片部とを有し、前記軒天井の下面に対する屋外側気密片部の接点と屋内側気密片部の接点とが、前記外壁材の上端外面角部から軒天井に引いた垂線を挟んで屋外側と屋内側にそれぞれ位置しているため、気密・水密性の高いパッキンを軒天井と外壁材の隙間に簡単に且つ確実に取付けることができ、施工性の向上が図れる。
【図面の簡単な説明】
【図１】本発明の実施の形態を示す外壁の主要部構成を示す拡大断面図である。
【図２】同外壁の全体構成を示す断面図である。
【図３】パッキンの挿入手順の説明図で、（ａ）は挿入する前の状態を示す断面図、（ｂ）は挿入途中の状態を示す断面図である。
【図４】本発明を水平な軒天井を有する建物に適用した例を示す拡大断面図である。
【図５】建物の躯体に縦胴縁を介して外壁材を取り付ける場合の説明図である。
【図６】従来の湿式目地工法の説明のための拡大断面図である。
【符号の説明】
１  外壁
２  躯体
３  壁部
４  外壁材
７  隙間
８  パッキン
８ａ  本体部
８ｂ  係止部
８ｅ  屋外側気密片部
８ｆ  屋内側気密片部
２３  通気層
４５  軒天井
Ｌｓ  垂線
Ａ  外壁材の上端外面角部
Ｂ，Ｃ  接点
【図１】
2004332316.tif 000003
【図２】
2004332316.tif 000004
【図３】
2004332316.tif 000005
【図４】
2004332316.tif 000006
【図５】
2004332316.tif 000007
【図６】
2004332316.tif 000008